(57)【要約】  【課題】システムキッチンのシンク下部の、奥側に給排水管がある空間に効率的に収納でき、衛生的で、メンテナンスが容易に行える冷蔵庫を提供する。  【解決手段】システムキッチンの最下段の引き出しスペース１２に設置される冷蔵庫であって、前面を開口した貯蔵室の左右どちらか一方に貯蔵室を冷却するための冷却ユニット１８を集中配置し、冷却ユニット１８を収納する機械室１６内に冷却システムを駆動及び制御するための電源制御ユニット２１を設け、電源制御ユニット２１にゴキブリ忌避性の材料を使用したものであり、デッドスペースの有効利用が可能となり、システムキッチン全体の食品の保存収納効率を高めることができるとともに、システムキッチンの最下段の引き出しスペースに設置しても衛生性を高めることができる。【選択図】図３
2006029736.tif 000002
【特許請求の範囲】
【請求項１】
システムキッチンの最下段の引き出しスペースに設置される冷蔵庫であって、前面を開口した貯蔵室の左右どちらか一方に前記貯蔵室を冷却するための冷却ユニットを集中配置し、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記機械室内に冷却システムを駆動及び制御するための電源制御ユニットを設け、前記電源制御ユニットにゴキブリ忌避性の材料を使用したことを特徴とするシステムキッチン組み込み式冷蔵庫。
【請求項２】
排気ダクト内部にゴキブリ忌避性のテープを貼り付けることを特徴とする請求項１記載のシステムキッチン組み込み式冷蔵庫。
【請求項３】
冷蔵庫の電源を入り切りできるスイッチを設けたことを特徴とする請求項１または２に記載のシステムキッチン組み込み式冷蔵庫。
【請求項４】
冷蔵庫の貯蔵室の開口部と反対側の後部壁と前記後部壁と対向するシステムキッチンの引き出しスペースの壁にそれぞれ商用電源からの電力を接点を用いずに受取る受電手段と電力を供給する給電手段を設けたことを特徴とする請求項１から３のいずれか一項に記載のシステムキッチン組み込み式冷蔵庫。
【請求項５】
冷却ユニットを収納する機械室の上面を、貯蔵室を構成する箱体の上面より低くするとともに、前記機械室側面と対向するシステムキッチンの引き出しスペースの側壁との間に空間を設けた構成としたことを特徴とする請求項１から４のいずれか一項に記載のシステムキッチン組み込み式冷蔵庫。
【発明の詳細な説明】
【技術分野】
【０００１】
本発明はシステムキッチンの一区画の下部空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図１０は、特許文献１に記載されたシステムキッチン用の保冷庫を示すものである。図１０に示すように、台所収納体の組付け空間１に組み込まれる外ケース２に出し入れされる容器状の収納体３と，ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、シンク下に設置した場合、奥側にシンク用の給排水管がある為、冷却ユニットを収納空間の奥側に設けると奥行きのない収納部となり、また機械室の吸排気口を左右に設置すると十分に面積が確保されない課題を有していた。
【０００６】
本発明は、上記従来の課題を解決するもので、システムキッチンのシンク下部の、奥側に給排水管がある空間に収納でき、衛生的で、機械室の給排気が十分に行え、メンテナンスが容易に行えるよう構成した冷蔵庫を提供することを目的とする。
【課題を解決するための手段】
【０００７】
上記従来の課題を解決するために、本発明の冷蔵庫は、システムキッチンの最下段の引き出しスペースに設置される冷蔵庫であって、前面を開口した貯蔵室の左右どちらか一方に前記貯蔵室を冷却するための冷却ユニットを集中配置し、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記機械室内に冷却システムを駆動及び制御するための電源制御ユニットを設け、前記電源制御ユニットにゴキブリ忌避性の材料を使用したものである。
【０００８】
これによって、システムキッチンの奥面に給排水配管のある最下段の空間においても奥行き方向の収納スペースを確保できるとともに、機械室内へのゴキブリの侵入を防止することができる。
【発明の効果】
【０００９】
本発明の冷蔵庫は、システムキッチン内の限られた空間において、システムキッチンの枠内に簡単にビルトイン設置でき、システムキッチン全体の食品の保存収納効率を高めることができるとともに、衛生性を高めることができる。
【発明を実施するための最良の形態】
【００１０】
請求項１に記載の発明は、システムキッチンの最下段の引き出しスペースに設置される冷蔵庫であって、前面を開口した貯蔵室の左右どちらか一方に前記貯蔵室を冷却するための冷却ユニットを集中配置し、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記機械室内に冷却システムを駆動及び制御するための電源制御ユニットを設け、前記電源制御ユニットにゴキブリ忌避性の材料を使用したものであり、デッドスペースの有効利用が可能となり、システムキッチン全体の食品の保存収納効率を高めることができるとともに、システムキッチンの最下段の引き出しスペースに設置しても衛生性を高めることができる。
【００１１】
請求項２に記載の発明は、請求項１に記載の発明において、排気ダクト内部にゴキブリ忌避性のテープを貼り付けるものであり、排気ダクト内部へのゴキブリの侵入を防止でき、さらに衛生性を高めることができる。
【００１２】
請求項３に記載の発明は、請求項１または２に記載の発明において、冷蔵庫の電源を入り切りできるスイッチを設けたものであり、システムキッチンに冷蔵庫を設置後冷蔵庫の運転と停止を容易に選択できる。また冷蔵庫が冷却ユニットの異常などにより保護停止した場合そのメンテナンスの際に電源再投入を容易にすることができる。また冬場等冷蔵庫が不要になったときは、電源を切ることにより冷蔵庫は停止するので電気代を押えることができる。
【００１３】
請求項４に記載の発明は、請求項１から３のいずれか一項に記載の発明において、冷蔵庫の貯蔵室の開口部と反対側の後部壁と前記後部壁と対向するシステムキッチンの引き出しスペースの壁にそれぞれ商用電源からの電力を接点を用いずに受取る受電手段と電力を供給する給電手段を設けたものであり、冷蔵庫をシステムキッチンに容易に設置することができる。またメンテナンスの際、冷蔵庫をシステムキッチンから容易に引き出すことができる。
【００１４】
請求項５に記載の発明は、請求項１から４のいずれか一項に記載の発明において、冷却ユニットを収納する機械室の上面を、貯蔵室を構成する箱体の上面より低くするとともに、前記機械室側面と対向するシステムキッチンの引き出しスペースの側壁との間に空間を設けたものであり、機械室天面および側面の空気対流が促進され、機械室周辺の熱こもり、熱影響を低減することができる。
【００１５】
以下、本発明の実施の形態について、図面を参照しながら説明する。なお、実施の形態によってこの発明が限定されるものではない。
【００１６】
（実施の形態１）
図１は、本発明の実施の形態１におけるシステムキッチン組立時の冷蔵庫の斜視図、図２は同実施例のシステムキッチン組み込み式冷蔵庫を前面に引き出したときの斜視図、図３は同実施例のシステムキッチン組み込み式冷蔵庫の部分斜視図、図４は同実施例のシステムキッチン組み込み式冷蔵庫の冷却ユニットの断面図、図５は同実施例のシステムキッチン組み込み式冷蔵庫の機械室の上面図、図６は同実施例のシステムキッチン組み込み式冷蔵庫の収納部を引き出したときの斜視図、図７は同実施例のシステムキッチン組み込み式冷蔵庫の部分斜視図、図８は同実施例のシステムキッチン組み込み式冷蔵庫とシステムキッチンの外枠の断面図、図９は同実施例のシステムキッチン組み込み式冷蔵庫とシステムキッチンの外枠の正面図である。
【００１７】
図１において、システムキッチンは奥行き・幅・高さなどで様々な種類があり、調理などをするワークトップ９はシステムキッチンの外枠１０の上部に構成されており、ワークトップ９にはシンク１１、その下に引き出し収納スペース１２、その下に本発明のシステムキッチン組み込み式冷蔵庫１３で構成されている。システムキッチン組み込み式冷蔵庫１３の前面には、意匠パネルドアを形成する化粧板１４Ａ、吸込み口付き化粧板１４Ｂが構成されている。このような構成をすることにより、システムキッチンの外観意匠を損なわずにシステムキッチン組み込み式冷蔵庫１３を組み込むことができる。
【００１８】
図２において、システムキッチン組み込み式冷蔵庫１３は大きくは収納部１５、機械室１６で構成されている。収納部１５の前面には断熱扉１７があり断熱扉１７にはシステムキッチンの外観意匠を統一するために化粧板１４Ａが取り付けられている。機械室部１６Ａの前面には吸込みグリル１４Ｃを一体成形した吸込み口付き化粧板１４Ｂが取り付けられている。
【００１９】
図３において、機械室１６は、冷却ユニット１８の放熱器１９、ファンモータ２０、ゴキブリ忌避性の材料を使用した電源制御ユニット２１、蒸発皿２２、排気ダクト２９で構成されている。収納部１５の庫内２３は冷却ユニット１８の冷却器２４と庫内２３を分ける庫内カバー２５、庫内攪拌用ファンモータ２６、収納ケース２７を前後方向にスライドさせるレール２８で収納部１５の庫内を構成している。レール２８には固定レール２８Ａ、中間レール２８Ｂ、可動レール２８Ｃで構成されている。なお電源制御ユニット２１は直接外気に触れる構造になっているが、ゴキブリ忌避性材料を使用しているためゴキブリの侵入により充電部の短絡などの故障を防ぐことができる。
【００２０】
図４において、ペルチェ素子３０、冷却器２４とペルチェ素子３０の熱交換をさせるためのヒートコンダクタ３１、ペルチェ素子３０によって出された熱を排熱するための高温側の放熱器１９、冷却器２４、ペルチェ素子３０、ヒートコンダクタ３１、放熱器１９を連結するケースコンダクタ３２で構成されている。
【００２１】
図５において、機械室１６の内部にスイッチ３３が設置されており、システムキッチン組み込み式冷蔵庫１３をシステムキッチンの外枠１０の内部に設置後も、システムキッチン組み込み式冷蔵庫１３の運転と停止をこのスイッチ３３で容易に選択できる。
【００２２】
図６において、断熱扉１７には収納ケース２７を支持するガイドレール３４があり、ガイドレール３４と可動レール２８Ｃは連結固定されている。
【００２３】
さらに、システムキッチン組み込み式冷蔵庫１３は、温度の設定により保冷庫や乾燥庫、温蔵庫としても使用することができる。
【００２４】
図７において、排気ダクト２９の内部にゴキブリ忌避性のテープ３５を貼り付けている。
【００２５】
図８において、商用電源からの電力を接点を用いずに供給することができるワイヤレス給電手段３６をシステムキッチン外枠１０のシステムキッチン組み込み式冷蔵庫の後部壁面と対向する面に設置し、商用電源からの電力を接点を用いずに受取ることができるワイヤレス受電手段３７をシステムキッチン組み込み式冷蔵庫がシステムキッチン外枠１０内に設置されたときワイヤレス給電手段３６と対向するシステムキッチン組み込み式冷蔵庫の壁面に設置する。
【００２６】
図９において、機械室１６を収納部１５の高さより低くし、収納部１５と反対側の側面とこれと対向するシステムキッチンの外枠１０の側壁との間に空間を設けることで空気層３８を確保している。
【００２７】
上記構成により、システムキッチンの最下段のデッドスペースの有効利用が可能となり、システムキッチン全体の食品の保存収納効率を高めることができる。また、電源制御ユニット２１にゴキブリ忌避性の材料を使用しているので、ゴキブリの侵入を防止できゴキブリの侵入により充電部の短絡などの故障を防ぐことができる。また、衛生性を高めることができる。
【００２８】
また、排気ダクト２９の内部にゴキブリ忌避性のテープ３５を貼り付けているので、排気ダクト内部へのゴキブリの侵入を防止でき、さらに衛生性を高めることができる。
【００２９】
また、冷蔵庫１３の電源を入り切りできるスイッチ３３を設けたものであり、システムキッチン冷蔵庫１３を設置後、冷蔵庫の運転と停止を容易に選択できる。また冷蔵庫１３が冷却ユニットの異常などにより保護停止した場合そのメンテナンスの際に電源再投入を容易にすることができる。また冬場等、冷蔵庫が不要になったときは、電源を切ることにより冷蔵庫は停止するので電気代を押えることができる。
【００３０】
また、冷蔵庫１３の貯蔵室の開口部と反対側の後部壁と前記後部壁と対向するシステムキッチンの引き出しスペースの壁にそれぞれ商用電源からの電力を接点を用いずに受取る受電手段３７と電力を供給する給電手段３６を設けたものであり、冷蔵庫をシステムキッチンに容易に設置することができる。またメンテナンスの際、冷蔵庫をシステムキッチンから容易に引き出すことができる。
【００３１】
また、冷却ユニット１８を収納する機械室１６の上面を、貯蔵室を構成する箱体の上面より低くするとともに、機械室１６側面と対向するシステムキッチンの引き出しスペースの側壁との間に空間を設けたものであり、機械室天面および側面の空気対流が促進され、機械室周辺の熱こもり、熱影響を低減することができる。
【００３２】
また、吸込み口付き化粧板１４Ｂから吸込まれた空気はペルチェ素子３０から出された熱を放熱器１９と熱交換し、ファンモータ２０により吸込まれ、電源制御ユニット２１を冷却する。放熱器１９と電源制御基板２１と熱交換した高温空気は下部の排気ダクト２９に導かれ、蒸発皿２２を通過して庫内からのドレン水を蒸発させ、台所空間に放出される。また収納部１５側は、庫内攪拌用ファンモータ２６から吐出された冷気は収納部１５奥面を通り収納ケース２７に流入し庫内カバーの吸込み口から吸入され、冷却器２４で再び吸熱されて収納ケース２７に送風するので、電源制御ユニットの放熱効率が上がり小型化することが可能となることから、より貯蔵室の広い空間を提供することができるとともに、正面から見た外観意匠を損なうことなく冷却能力を高めることができる。
【００３３】
なお、冷蔵庫１３は、ペルチェ素子３０を用いているので、温度の設定により保冷庫や乾燥庫、温蔵庫としても使用することができる。
【産業上の利用可能性】
【００３４】
以上のように、本発明にかかる冷蔵庫は、限られた空間を有効に活用できるのでシステムキッチンなどのビルトイン機器に適用できる。
【図面の簡単な説明】
【００３５】
【図１】本発明の実施の形態１におけるシステムキッチン組立時の冷蔵庫の斜視図
【図２】本発明の実施の形態１におけるシステムキッチンに冷蔵庫を前面に引出した時の斜視図
【図３】本発明の実施の形態１における冷蔵庫の部分斜視図
【図４】本発明の実施の形態１における冷蔵庫の冷却ユニットの断面図
【図５】本発明の実施の形態１における冷蔵庫の機械室の上面図
【図６】本発明の実施の形態１における冷蔵庫の収納部を引き出したときの斜視図
【図７】本発明の実施の形態１における冷蔵庫の部分斜視図
【図８】本発明の実施の形態１における冷蔵庫とシステムキッチン外枠の断面図
【図９】本発明の実施の形態１における冷蔵庫とシステムキッチン外枠の正面図
【図１０】従来のシステムキッチン組み込み式保冷庫の斜視図
【符号の説明】
【００３６】
１２  引き出し収納スペース
１３  システムキッチン組み込み冷蔵庫
１６  機械室
１８  冷却ユニット
１９  放熱器
２１  電源制御ユニット
２９  排気ダクト
３３  スイッチ
３５  ゴキブリ忌避性テープ
３６  ワイヤレス給電手段
３７  ワイヤレス受電手段
３８  空気層
【図１】
2006029736.tif 000003
【図２】
2006029736.tif 000004
【図３】
2006029736.tif 000005
【図４】
2006029736.tif 000006
【図５】
2006029736.tif 000007
【図６】
2006029736.tif 000008
【図７】
2006029736.tif 000009
【図８】
2006029736.tif 000010
【図９】
2006029736.tif 000011
【図１０】
2006029736.tif 000012